(57)【要約】【課題】本発明はセルフクリーニング歯ブラシを開示した。【解決手段】引掛りセットを含み、前記引掛けハンドルの中には引掛けハンドル洗浄機構が設けられ、前記引掛けハンドル洗浄機構は引掛けハンドル連結溝を含み、前記引掛けハンドル連結溝の中には洗浄筒が設けられ、前記洗浄筒の内壁には洗浄筒刷毛が固定的に設けられ本発明は構造が簡単で、操作が便利で、引掛けハンドル洗浄機構によって刷毛が洗浄および滅菌され、ブラシヘッドを密閉環境に置き、外部環境によって汚染されないことを保証し、振動機構によって歯ブラシの上の残渣が振り落とされ、大きな粒子状ものを取り除き、刷毛洗浄機構によって刷毛を洗浄し、刷毛を取り替えることができる。【選択図】図１
2020175114.tif 000002
【特許請求の範囲】
【請求項１】
セルフクリーニング歯ブラシであって、引掛りセットを含み、前記引掛けハンドルの中には引掛けハンドル洗浄機構が設けられ、前記引掛けハンドル洗浄機構は引掛けハンドル連結溝を含み、前記引掛けハンドル連結溝の中には洗浄筒が設けられ、前記洗浄筒の内壁には洗浄筒刷毛が固定的に設けられ、前記引掛けハンドル連結溝の左側内壁には前記洗浄筒を回転連動させる第一モータが固定的に取り付けられ、前記引掛けハンドル洗浄機構は殺菌箱取付け溝を含み、前記引掛けハンドルの左側には連結柄がねじ山によって取り付けられ、前記連結柄の左側端面には歯ブラシヘッドが固定的に取り付けられ、前記歯ブラシヘッドの中には振動機構が設けられ、前記振動機構は第二モータと振動伝動チャンバを含み、前記振動伝動チャンバの中には振動を制御する振動制御盤が設けられ、前記振動伝動チャンバの頂壁には前記振動伝動チャンバと連通した振動チャンバが設けられ、前記振動チャンバの中には振動ロッドが設けられ、前記振動ロッドには緩衝ブロックが固定的に取り付けられ、前記歯ブラシヘッドの中には刷毛洗浄機構が設けられ、前記刷毛洗浄機構は洗浄駆動チャンバを含み、前記洗浄駆動チャンバの中には中間歯車とクリーニングヘッド伝動歯車が設けられ、前記歯ブラシヘッドの頂部端面には刷毛装着板が固定的に取り付けられ、前記刷毛装着板には歯ブラシ刷毛が設けられ、前記刷毛洗浄機構は前記刷毛装着板の端面に設けられるクリーニングヘッドを含み、前記クリーニングヘッドにはクリーニング刷毛が設けられることを特徴とするセルフクリーニング歯ブラシ。
【請求項２】
前記引掛けハンドル洗浄機構は前記引掛けハンドルを含み、前記引掛けハンドル連結溝が前記引掛けハンドルの中の右側端面に設けられ、前記引掛けハンドル連結溝の内壁にはねじ山が設けられ、前記洗浄筒が前記引掛けハンドル連結溝の中に回転できるように取り付けられ、前記洗浄筒の中には洗浄チャンバが設けられ、前記洗浄チャンバの左側内壁には前記洗浄筒の左側端面に連通した連通孔が設けられ、前記洗浄チャンバの内壁には洗浄筒刷毛が固定的に取り付けられ、前記第一モータが前記引掛けハンドル連結溝の左側に固定的に取り付けられ、前記第一モータの右側の出力軸には第一電極軸が固定的に連結され、前記第一電極軸と前記洗浄筒の左側端面とが固定的に取り付けられ、前記洗浄筒の左側端面には斜め板が設けられ、前記殺菌箱取付け溝が前記引掛けハンドルの底部端面に設けられ、前記殺菌箱取付け溝の頂壁には前記引掛けハンドル連結溝と連通した消毒剤パイプが設けられ、前記消毒剤パイプには制御スイッチが設けられ、前記引掛けハンドルの頂部端面には電池ケースが設けられ、前記電池ケースには蓄電池が固定的に取り付けられ、前記引掛けハンドルの左側端面には左に開口した電極接触チャンバが設けられ、前記連結柄は前記電極接触チャンバとねじ山によって連結され、前記電極接触チャンバの右側内壁には出力接点が固定的に取り付けられ、前記連結柄の左側端面には入力接点が固定的に取り付けられ、前記出力接点は前記入力接点と接触することができ、
第一モータを始動させ、第一モータは洗浄筒および洗浄筒刷毛を回転連動させ、制御スイッチは消毒剤パイプを開けて消毒剤を前記引掛けハンドル連結溝の中に入るようにさせ、消毒剤は連通孔から入り込み、洗浄筒および洗浄筒刷毛は回転してブラシヘッドに対して殺菌と洗浄をすることを特徴とする請求項１に記載のセルフクリーニング歯ブラシ。
【請求項３】
前記振動機構は前記連結柄と前記洗浄駆動チャンバを含み、前記第二モータが前記連結柄の中に取り付けられ、前記振動伝動チャンバが前記歯ブラシヘッドの中に設けられ、前記連結柄にはねじ山が設けられ、前記第二モータ軸は前記第二モータの左側の出力軸の端面に連結され、前記第二モータ軸が左方に延びていて前記振動伝動チャンバと前記洗浄駆動チャンバを貫通しており、前記第二モータ軸は前記歯ブラシヘッドおよび前記連結柄と回転できるように連結され、前記第二モータ軸は前記振動制御盤とスプラインで取り付けられ、前記振動制御盤の左側端面にはスライド溝が設けられ、前記振動制御盤の右側端面にはプッシュヘッドが固定的に取り付けられ、前記プッシュヘッドは前記第二モータ軸と接触していなく、前記連結柄の底部端面には上に開口したプッシュスライド溝が設けられ、前記プッシュスライド溝の中には手動プッシュブロックがスライドできるように取り付けられ、前記プッシュスライド溝の下側には前記振動伝動チャンバと連通したプッシュロッドスライド溝が設けられ、前記プッシュロッドスライド溝と前記プッシュスライド溝との間には連通した連結ロッドスライド溝が設けられ、前記プッシュロッドスライド溝の中にはプッシュロッドがスライドできるように取り付けられ、前記プッシュロッドの左側端面には回しブロックが固定的に取り付けられ、前記回しブロックは前記プッシュヘッドと回転できるように取り付けられ、前記プッシュヘッドの頂部端面にはプッシュブロック連結ロッドが固定的に取り付けられ、前記プッシュブロック連結ロッドは前記連結ロッドスライド溝とスライドできるように連結され、前記プッシュブロック連結ロッドの頂部端面は前記手動プッシュブロックと固定して取り付けられ、前記振動チャンバは前記振動伝動チャンバの頂壁と連通しており、前記振動ロッドが前記振動チャンバの左側端面に固定的に取り付けられ、前記振動ロッドの上側端面には緩衝ブロックが固定的に取り付けられ、前記振動ロッドの下側端面には回しロッドが固定的に取り付けられ、前記回しロッドは前記スライド溝とスライドできるように連結され、
それによって手動プッシュブロックを押し動かして左に移動させ、手動プッシュブロックは連結ロッドスライド溝およびプッシュロッドを連動させて左に移動させ、プッシュロッドが左に移動してプッシュヘッドに振動制御盤を押し動かさせて左に移動させ、振動制御盤は左に移動して回しロッドがスライド溝とスライドできるように連結され、回しロッドがスライド溝の中でスライドしているとき、振動ロッドおよび緩衝ブロックが上下に揺れ、歯ブラシヘッドを振ることにより、歯ブラシからゴミや残渣が取り除かれることを特徴とする請求項１に記載のセルフクリーニング歯ブラシ。
【請求項４】
前記刷毛洗浄機構は前記洗浄駆動チャンバを含み、前記洗浄駆動チャンバの上下内壁の間には中間固定軸が固定的に取り付けられ、前記中間固定軸は前記中間歯車と回転できるように取り付けられ、前記中間歯車の底部端面には端面歯が固定的に取り付けられ、前記第二モータ軸の左側端面には洗浄駆動歯車が固定的に取り付けられ、前記洗浄駆動歯車は前記端面歯と噛み合い、前記刷毛装着板の中には第一フックフック溝が左右に対称的に設けられ、前記第一フックフック溝の内壁には第一フックが固定的に取り付けられ、前記歯ブラシヘッドの左右端面には第二フックフック溝が左右に対称的に設けられ、前記第二フックフック溝の上側内壁にはボタン板が固定的に取り付けられ、前記ボタン板には第二フックが固定的に取り付けられ、前記第二フックは前記第一フックと引っかかることができ、前記ボタン板の端面には緩めボタンが固定的に取り付けられ、前記刷毛装着板は歯ブラシ刷毛と固定的に取り付けられ、前記洗浄駆動チャンバと前記刷毛装着板の頂部端面との間にはクリーニングヘッド伝動軸が左右に対称的に回転できるように取り付けられ、前記クリーニングヘッド伝動歯車と前記クリーニングヘッド伝動軸との間が固定して取り付けられ、前記クリーニングヘッド伝動軸の頂部端面には固定ヘッドが固定的に取り付けられ、前記固定ヘッドは前記クリーニングヘッドと固定して取り付けられ、前記クリーニング刷毛が前記クリーニングヘッドに固定的に取り付けられ、前記クリーニングヘッド伝動軸において前記固定ヘッドの下側には固定位置制限ブロックが固定的に取り付けられ、
刷毛装着板を歯ブラシヘッドに取り付けて引っかけ、クリーニングヘッドをクリーニングヘッド伝動軸に取り付け、第二モータは洗浄駆動歯車を回転連動させ、洗浄駆動歯車は回転して端面歯および中間歯車を回転連動させ、中間歯車は回転してクリーニングヘッド伝動歯車を回転連動させ、クリーニングヘッド伝動歯車は回転してクリーニングヘッドおよびクリーニング刷毛を回転連動させ、歯ブラシ刷毛を洗浄することを特徴とする請求項１に記載のセルフクリーニング歯ブラシ。
【発明の詳細な説明】
【技術分野】
【０００１】
本発明は生活用品分野を取り上げて、具体的にはセルフクリーニング歯ブラシである
【背景技術】
【０００２】
現在、ますます多くの人々が口腔の健康に注意し、そして我々の口腔の健康と最も密接なのは歯ブラシで、歯ブラシは常に口腔に出入りし、歯ブラシの清潔さは私たちの口腔の健康に対して非常に重要で、現在使用されている歯ブラシは基本的にセルフクリーニングの機能を持っていなく、一般的に、歯ブラシの使用が完了した後に、歯ブラシはクリーニングのために専用な清潔設備に入れてクリーニングし、このような洗浄方法は面倒であり、一般家庭での使用には適していなく、歯ブラシが露天置かれ、埃がたまりやすく、歯ブラシの清掃に一定の影響を及ぼし、そのためセルフクリーニング歯ブラシが必要とされ、自宅でも使え、歯ブラシを密封することができ、露天の環境で汚されるのを防ぐ。
【先行技術文献】
【特許文献】
【０００３】
【特許文献１】中国特許出願公開第108634554号明細書
【発明の概要】
【発明が解決しようとする課題】
【０００４】
本発明はセルフクリーニング歯ブラシを提供し、既存技術にある上記の欠点を解消することを目的とする。
【課題を解決するための手段】
【０００５】
本発明の実施例のセルフクリーニング歯ブラシは、引掛りセットを含み、前記引掛けハンドルの中には引掛けハンドル洗浄機構が設けられ、前記引掛けハンドル洗浄機構は引掛けハンドル連結溝を含み、前記引掛けハンドル連結溝の中には洗浄筒が設けられ、前記洗浄筒の内壁には洗浄筒刷毛が固定的に設けられ、前記引掛けハンドル連結溝の左側内壁には前記洗浄筒を回転連動させる第一モータが固定的に取り付けられ、前記引掛けハンドル洗浄機構は殺菌箱取付け溝を含み、前記引掛けハンドルの左側には連結柄がねじ山によって取り付けられ、前記連結柄の左側端面には歯ブラシヘッドが固定的に取り付けられ、前記歯ブラシヘッドの中には振動機構が設けられ、前記振動機構は第二モータと振動伝動チャンバを含み、前記振動伝動チャンバの中には振動を制御する振動制御盤が設けられ、前記振動伝動チャンバの頂壁には前記振動伝動チャンバと連通した振動チャンバが設けられ、前記振動チャンバの中には振動ロッドが設けられ、前記振動ロッドには緩衝ブロックが固定的に取り付けられ、前記歯ブラシヘッドの中には刷毛洗浄機構が設けられ、前記刷毛洗浄機構は洗浄駆動チャンバを含み、前記洗浄駆動チャンバの中には中間歯車とクリーニングヘッド伝動歯車が設けられ、前記歯ブラシヘッドの頂部端面には刷毛装着板が固定的に取り付けられ、前記刷毛装着板には歯ブラシ刷毛が設けられ、前記刷毛洗浄機構は前記刷毛装着板の端面に設けられるクリーニングヘッドを含み、前記クリーニングヘッドにはクリーニング刷毛が設けられる。
【０００６】
有益なまた例を示すように、前記引掛けハンドル洗浄機構は前記引掛けハンドルを含み、前記引掛けハンドル連結溝が前記引掛けハンドルの中の右側端面に設けられ、前記引掛けハンドル連結溝の内壁にはねじ山が設けられ、前記洗浄筒が前記引掛けハンドル連結溝の中に回転できるように取り付けられ、前記洗浄筒の中には洗浄チャンバが設けられ、前記洗浄チャンバの左側内壁には前記洗浄筒の左側端面に連通した連通孔が設けられ、前記洗浄チャンバの内壁には洗浄筒刷毛が固定的に取り付けられ、前記第一モータが前記引掛けハンドル連結溝の左側に固定的に取り付けられ、前記第一モータの右側の出力軸には第一電極軸が固定的に連結され、前記第一電極軸と前記洗浄筒の左側端面とが固定的に取り付けられ、前記洗浄筒の左側端面には斜め板が設けられ、前記殺菌箱取付け溝が前記引掛けハンドルの底部端面に設けられ、前記殺菌箱取付け溝の頂壁には前記引掛けハンドル連結溝と連通した消毒剤パイプが設けられ、前記消毒剤パイプには制御スイッチが設けられ、前記引掛けハンドルの頂部端面には電池ケースが設けられ、前記電池ケースには蓄電池が固定的に取り付けられ、前記引掛けハンドルの左側端面には左に開口した電極接触チャンバが設けられ、前記連結柄は前記電極接触チャンバとねじ山によって連結され、前記電極接触チャンバの右側内壁には出力接点が固定的に取り付けられ、前記連結柄の左側端面には入力接点が固定的に取り付けられ、前記出力接点は前記入力接点と接触することができる。
【０００７】
有益なまた例を示すように、前記振動機構は前記連結柄と前記洗浄駆動チャンバを含み、前記第二モータが前記連結柄の中に取り付けられ、前記振動伝動チャンバが前記歯ブラシヘッドの中に設けられ、前記連結柄にはねじ山が設けられ、前記第二モータ軸は前記第二モータの左側の出力軸の端面に連結され、前記第二モータ軸が左方に延びていて前記振動伝動チャンバと前記洗浄駆動チャンバを貫通しており、前記第二モータ軸は前記歯ブラシヘッドおよび前記連結柄と回転できるように連結され、前記第二モータ軸は前記振動制御盤とスプラインで取り付けられ、前記振動制御盤の左側端面にはスライド溝が設けられ、前記振動制御盤の右側端面にはプッシュヘッドが固定的に取り付けられ、前記プッシュヘッドは前記第二モータ軸と接触していなく、前記連結柄の底部端面には上に開口したプッシュスライド溝が設けられ、前記プッシュスライド溝の中には手動プッシュブロックがスライドできるように取り付けられ、前記プッシュスライド溝の下側には前記振動伝動チャンバと連通したプッシュロッドスライド溝が設けられ、前記プッシュロッドスライド溝と前記プッシュスライド溝との間には連通した連結ロッドスライド溝が設けられ、前記プッシュロッドスライド溝の中にはプッシュロッドがスライドできるように取り付けられ、前記プッシュロッドの左側端面には回しブロックが固定的に取り付けられ、前記回しブロックは前記プッシュヘッドと回転できるように取り付けられ、前記プッシュヘッドの頂部端面にはプッシュブロック連結ロッドが固定的に取り付けられ、前記プッシュブロック連結ロッドは前記連結ロッドスライド溝とスライドできるように連結され、前記プッシュブロック連結ロッドの頂部端面は前記手動プッシュブロックと固定して取り付けられ、前記振動チャンバは前記振動伝動チャンバの頂壁と連通しており、前記振動ロッドが前記振動チャンバの左側端面に固定的に取り付けられ、前記振動ロッドの上側端面には緩衝ブロックが固定的に取り付けられ、前記振動ロッドの下側端面には回しロッドが固定的に取り付けられ、前記回しロッドは前記スライド溝とスライドできるように連結されている。
【０００８】
有益なまた例を示すように、前記刷毛洗浄機構は前記洗浄駆動チャンバを含み、前記洗浄駆動チャンバの上下内壁の間には中間固定軸が固定的に取り付けられ、前記中間固定軸は前記中間歯車と回転できるように取り付けられ、前記中間歯車の底部端面には端面歯が固定的に取り付けられ、前記第二モータ軸の左側端面には洗浄駆動歯車が固定的に取り付けられ、前記洗浄駆動歯車は前記端面歯と噛み合い、前記刷毛装着板の中には第一フックフック溝が左右に対称的に設けられ、前記第一フックフック溝の内壁には第一フックが固定的に取り付けられ、前記歯ブラシヘッドの左右端面には第二フックフック溝が左右に対称的に設けられ、前記第二フックフック溝の上側内壁にはボタン板が固定的に取り付けられ、前記ボタン板には第二フックが固定的に取り付けられ、前記第二フックは前記第一フックと引っかかることができ、前記ボタン板の端面には緩めボタンが固定的に取り付けられ、前記刷毛装着板は歯ブラシ刷毛と固定的に取り付けられ、前記洗浄駆動チャンバと前記刷毛装着板の頂部端面との間にはクリーニングヘッド伝動軸が左右に対称的に回転できるように取り付けられ、前記クリーニングヘッド伝動歯車と前記クリーニングヘッド伝動軸との間が固定して取り付けられ、前記クリーニングヘッド伝動軸の頂部端面には固定ヘッドが固定的に取り付けられ、前記固定ヘッドは前記クリーニングヘッドと固定して取り付けられ、前記クリーニング刷毛が前記クリーニングヘッドに固定的に取り付けられ、前記クリーニングヘッド伝動軸において前記固定ヘッドの下側には固定位置制限ブロックが固定的に取り付けられている。
【発明の効果】
【０００９】
本発明の有益な効果は：本発明は構造が簡単で、操作が便利で、引掛けハンドル洗浄機構によって刷毛が洗浄および滅菌され、ブラシヘッドを密閉環境に置き、外部環境によって汚染されないことを保証し、振動機構によって歯ブラシの上の残渣が振り落とされ、大きな粒子状ものを取り除き、刷毛洗浄機構によって刷毛を洗浄し、刷毛を取り替えることができ、歯ブラシ全体の再利用に効果があり、宣伝価値がある。
【図面の簡単な説明】
【００１０】
【図１】図１は本発明の全体構成概略図
【図２】図２は図１の中のＡ−Ａ方向の断面構成概略図
【図３】図３は図１のＢの拡大構造略図
【図４】図４は図１のＣ―Ｃ方向の断面構造略図
【発明を実施するための形態】
【００１１】
下記に図１〜４を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１２】
図１〜４を参照し、本発明の実施例のセルフクリーニング歯ブラシは、引掛りセット１０９を含み、前記引掛けハンドル１０９の中には引掛けハンドル洗浄機構３００が設けられ、前記引掛けハンドル洗浄機構３００は引掛けハンドル連結溝２３を含み、前記引掛けハンドル連結溝２３の中には洗浄筒２０が設けられ、前記洗浄筒２０の内壁には洗浄筒刷毛２２が固定的に設けられ、前記引掛けハンドル連結溝２３の左側内壁には前記洗浄筒２０を回転連動させる第一モータ１７が固定的に取り付けられ、前記引掛けハンドル洗浄機構３００は殺菌箱取付け溝１５を含み、前記引掛けハンドル１０９の左側には連結柄１０７がねじ山によって取り付けられ、前記連結柄１０７の左側端面には歯ブラシヘッド１００が固定的に取り付けられ、前記歯ブラシヘッド１００の中には振動機構３０１が設けられ、前記振動機構３０１は第二モータ１０８と振動伝動チャンバ１０５を含み、前記振動伝動チャンバ１０５の中には振動を制御する振動制御盤１０６が設けられ、前記振動伝動チャンバ１０５の頂壁には前記振動伝動チャンバ１０５と連通した振動チャンバ３４が設けられ、前記振動チャンバ３４の中には振動ロッド３５が設けられ、前記振動ロッド３５には緩衝ブロック３６が固定的に取り付けられ、前記歯ブラシヘッド１００の中には刷毛洗浄機構３０２が設けられ、前記刷毛洗浄機構３０２は洗浄駆動チャンバ１０１を含み、前記洗浄駆動チャンバ１０１の中には中間歯車４１とクリーニングヘッド伝動歯車４４が設けられ、前記歯ブラシヘッド１００の頂部端面には刷毛装着板４８が固定的に取り付けられ、前記刷毛装着板４８には歯ブラシ刷毛４３が設けられ、前記刷毛洗浄機構３０２は前記刷毛装着板４８の端面に設けられるクリーニングヘッド３９を含み、前記クリーニングヘッド３９にはクリーニング刷毛３８が設けられる。
【００１３】
有益なまた例を示すように、前記引掛けハンドル洗浄機構３００は前記引掛けハンドル１０９を含み、前記引掛けハンドル連結溝２３が前記引掛けハンドル１０９の中の右側端面に設けられ、前記引掛けハンドル連結溝２３の内壁にはねじ山が設けられ、前記洗浄筒２０が前記引掛けハンドル連結溝２３の中に回転できるように取り付けられ、前記洗浄筒２０の中には洗浄チャンバ１２が設けられ、前記洗浄チャンバ１２の左側内壁には前記洗浄筒２０の左側端面に連通した連通孔２１が設けられ、前記洗浄チャンバ１２の内壁には洗浄筒刷毛２２が固定的に取り付けられ、前記第一モータ１７が前記引掛けハンドル連結溝２３の左側に固定的に取り付けられ、前記第一モータ１７の右側の出力軸には第一電極軸２４が固定的に連結され、前記第一電極軸２４と前記洗浄筒２０の左側端面とが固定的に取り付けられ、前記洗浄筒２０の左側端面には斜め板１９が設けられ、前記殺菌箱取付け溝１５が前記引掛けハンドル１０９の底部端面に設けられ、前記殺菌箱取付け溝１５の頂壁には前記引掛けハンドル連結溝２３と連通した消毒剤パイプ１６が設けられ、前記消毒剤パイプ１６には制御スイッチ１８が設けられ、前記引掛けハンドル１０９の頂部端面には電池ケース２５が設けられ、前記電池ケース２５には蓄電池２６が固定的に取り付けられ、前記引掛けハンドル１０９の左側端面には左に開口した電極接触チャンバ１１が設けられ、前記連結柄１０７は前記電極接触チャンバ１１とねじ山によって連結され、前記電極接触チャンバ１１の右側内壁には出力接点１３が固定的に取り付けられ、前記連結柄１０７の左側端面には入力接点１４が固定的に取り付けられ、前記出力接点１３は前記入力接点１４と接触することができ、
第一モータ１７を始動させ、第一モータ１７は洗浄筒２０および洗浄筒刷毛２２を回転連動させ、制御スイッチ１８は消毒剤パイプ１６を開けて消毒剤を前記引掛けハンドル連結溝２３の中に入るようにさせ、消毒剤は連通孔２１から入り込み、洗浄筒２０および洗浄筒刷毛２２は回転してブラシヘッドに対して殺菌と洗浄をする。
【００１４】
有益なまた例を示すように、前記振動機構３０１は前記連結柄１０７と前記洗浄駆動チャンバ１０１を含み、前記第二モータ１０８が前記連結柄１０７の中に取り付けられ、前記振動伝動チャンバ１０５が前記歯ブラシヘッド１００の中に設けられ、前記連結柄１０７にはねじ山が設けられ、前記第二モータ軸１０４は前記第二モータ１０８の左側の出力軸の端面に連結され、前記第二モータ軸１０４が左方に延びていて前記振動伝動チャンバ１０５と前記洗浄駆動チャンバ１０１を貫通しており、前記第二モータ軸１０４は前記歯ブラシヘッド１００および前記連結柄１０７と回転できるように連結され、前記第二モータ軸１０４は前記振動制御盤１０６とスプラインで取り付けられ、前記振動制御盤１０６の左側端面にはスライド溝５６が設けられ、前記振動制御盤１０６の右側端面にはプッシュヘッド３１が固定的に取り付けられ、前記プッシュヘッド３１は前記第二モータ軸１０４と接触していなく、前記連結柄１０７の底部端面には上に開口したプッシュスライド溝２７が設けられ、前記プッシュスライド溝２７の中には手動プッシュブロック２８がスライドできるように取り付けられ、前記プッシュスライド溝２７の下側には前記振動伝動チャンバ１０５と連通したプッシュロッドスライド溝６２が設けられ、前記プッシュロッドスライド溝６２と前記プッシュスライド溝２７との間には連通した連結ロッドスライド溝６１が設けられ、前記プッシュロッドスライド溝６２の中にはプッシュロッド３０がスライドできるように取り付けられ、前記プッシュロッド３０の左側端面には回しブロック３２が固定的に取り付けられ、前記回しブロック３２は前記プッシュヘッド３１と回転できるように取り付けられ、前記プッシュヘッド３０の頂部端面にはプッシュブロック連結ロッド２９が固定的に取り付けられ、前記プッシュブロック連結ロッド２９は前記連結ロッドスライド溝６１とスライドできるように連結され、前記プッシュブロック連結ロッド２９の頂部端面は前記手動プッシュブロック２８と固定して取り付けられ、前記振動チャンバ３４は前記振動伝動チャンバ１０５の頂壁と連通しており、前記振動ロッド３５が前記振動チャンバ３４の左側端面に固定的に取り付けられ、前記振動ロッド３５の上側端面には緩衝ブロック３６が固定的に取り付けられ、前記振動ロッド３５の下側端面には回しロッド３３が固定的に取り付けられ、前記回しロッド３３は前記スライド溝５６とスライドできるように連結され、
それによって手動プッシュブロック２８を押し動かして左に移動させ、手動プッシュブロック２８は連結ロッドスライド溝６１およびプッシュロッド３０を連動させて左に移動させ、プッシュロッド３０が左に移動してプッシュヘッド３１に振動制御盤１０６を押し動かさせて左に移動させ、振動制御盤１０６は左に移動して回しロッド３３がスライド溝５６とスライドできるように連結され、回しロッド３３がスライド溝５６の中でスライドしているとき、振動ロッド３５および緩衝ブロック３６が上下に揺れ、歯ブラシヘッド１００を振ることにより、歯ブラシからゴミや残渣が取り除かれる。
【００１５】
有益なまた例を示すように、前記刷毛洗浄機構３０２は前記洗浄駆動チャンバ１０１を含み、前記洗浄駆動チャンバ１０１の上下内壁の間には中間固定軸１０２が固定的に取り付けられ、前記中間固定軸１０２は前記中間歯車４１と回転できるように取り付けられ、前記中間歯車４１の底部端面には端面歯４２が固定的に取り付けられ、前記第二モータ軸１０４の左側端面には洗浄駆動歯車１０３が固定的に取り付けられ、前記洗浄駆動歯車１０３は前記端面歯４２と噛み合い、前記刷毛装着板４８の中には第一フックフック溝４９が左右に対称的に設けられ、前記第一フックフック溝４９の内壁には第一フック５０が固定的に取り付けられ、前記歯ブラシヘッド１００の左右端面には第二フックフック溝５３が左右に対称的に設けられ、前記第二フックフック溝５３の上側内壁にはボタン板５４が固定的に取り付けられ、前記ボタン板５４には第二フック５２が固定的に取り付けられ、前記第二フック５２は前記第一フック５０と引っかかることができ、前記ボタン板５４の端面には緩めボタン５５が固定的に取り付けられ、前記刷毛装着板４８は歯ブラシ刷毛４３と固定的に取り付けられ、前記洗浄駆動チャンバ１０１と前記刷毛装着板４８の頂部端面との間にはクリーニングヘッド伝動軸４０が左右に対称的に回転できるように取り付けられ、前記クリーニングヘッド伝動歯車４４と前記クリーニングヘッド伝動軸４０との間が固定して取り付けられ、前記クリーニングヘッド伝動軸４０の頂部端面には固定ヘッド４６が固定的に取り付けられ、前記固定ヘッド４６は前記クリーニングヘッド３９と固定して取り付けられ、前記クリーニング刷毛３８が前記クリーニングヘッド３９に固定的に取り付けられ、前記クリーニングヘッド伝動軸４０において前記固定ヘッド４６の下側には固定位置制限ブロック４７が固定的に取り付けられ、
刷毛装着板４８を歯ブラシヘッド１００に取り付けて引っかけ、クリーニングヘッド３９をクリーニングヘッド伝動軸４０に取り付け、第二モータ１０８は洗浄駆動歯車１０３を回転連動させ、洗浄駆動歯車１０３は回転して端面歯４２および中間歯車４１を回転連動させ、中間歯車４１は回転してクリーニングヘッド伝動歯車４４を回転連動させ、クリーニングヘッド伝動歯車４４は回転してクリーニングヘッド３９およびクリーニング刷毛３８を回転連動させ、歯ブラシ刷毛４３を洗浄する。
【００１６】
利用するとき、第二モータ１０８を始動させ、第二モータ１０８は振動抑制盤１０６および中間歯車４１を回転連動させ、振動抑制盤１０６は振動ロッド３５を上下に揺動させて振動させ、残渣が取り除かれ、中間歯車４１は回転してクリーニングヘッド３９およびクリーニング刷毛３８を回転連動させ、クリーニングヘッド３９およびクリーニング刷毛３８は回転して刷毛を洗浄し、刷毛装着板４８を取り替える時、刷毛装着板４８を取り外して取り替えればよく、ブラッシングが完了したら、引掛けハンドル１０９および連結柄１０７を捻って緩め、歯ブラシヘッド１００は引掛けハンドル連結溝２３の中に伸びていて連結柄１０７の左側のねじ山ときつく締め、第一モータ１７を始動させ、第一モータ１７は洗浄筒２０および洗浄筒刷毛２２を回転連動させて洗浄し、殺菌箱取付け溝１５において殺菌箱の中の殺菌剤は引掛けハンドル連結溝２３の中に入って消毒する。
【００１７】
本発明の有益な効果は：本発明は構造が簡単で、操作が便利で、引掛けハンドル洗浄機構によって刷毛が洗浄および滅菌され、ブラシヘッドを密閉環境に置き、外部環境によって汚染されないことを保証し、振動機構によって歯ブラシの上の残渣が振り落とされ、大きな粒子状ものを取り除き、刷毛洗浄機構によって刷毛を洗浄し、刷毛を取り替えることができ、歯ブラシ全体の再利用に効果があり、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175114.tif 000003
【図２】
2020175114.tif 000004
【図３】
2020175114.tif 000005
【図４】
2020175114.tif 000006
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
セルフクリーニング歯ブラシであって、引掛けハンドルを含み、前記引掛けハンドルの中には引掛けハンドル洗浄機構が設けられ、前記引掛けハンドル洗浄機構は引掛けハンドル連結溝を含み、前記引掛けハンドル連結溝の中には洗浄筒が設けられ、前記洗浄筒の内壁には洗浄筒刷毛が固定的に設けられ、前記引掛けハンドル連結溝の左側内壁には前記洗浄筒を回転連動させる第一モータが固定的に取り付けられ、前記引掛けハンドル洗浄機構は殺菌箱取付け溝を含み、前記引掛けハンドルの左側には連結柄がねじ山によって取り付けられ、前記連結柄の左側端面には歯ブラシヘッドが固定的に取り付けられ、前記歯ブラシヘッドの中には振動機構が設けられ、前記振動機構は第二モータと振動伝動チャンバを含み、前記振動伝動チャンバの中には振動を制御する振動制御盤が設けられ、前記振動伝動チャンバの頂壁には前記振動伝動チャンバと連通した振動チャンバが設けられ、前記振動チャンバの中には振動ロッドが設けられ、前記振動ロッドには緩衝ブロックが固定的に取り付けられ、前記歯ブラシヘッドの中には刷毛洗浄機構が設けられ、前記刷毛洗浄機構は洗浄駆動チャンバを含み、前記洗浄駆動チャンバの中には中間歯車とクリーニングヘッド伝動歯車が設けられ、前記歯ブラシヘッドの頂部端面には刷毛装着板が固定的に取り付けられ、前記刷毛装着板には歯ブラシ刷毛が設けられ、前記刷毛洗浄機構は前記刷毛装着板の端面に設けられるクリーニングヘッドを含み、前記クリーニングヘッドにはクリーニング刷毛が設けられ、
前記引掛けハンドル洗浄機構は前記引掛けハンドルを含み、前記引掛けハンドル連結溝が前記引掛けハンドルの中の右側端面に設けられ、前記引掛けハンドル連結溝の内壁にはねじ山が設けられ、前記洗浄筒が前記引掛けハンドル連結溝の中に回転できるように取り付けられ、前記洗浄筒の中には洗浄チャンバが設けられ、前記洗浄チャンバの左側内壁には前記洗浄筒の左側端面に連通した連通孔が設けられ、前記洗浄チャンバの内壁には洗浄筒刷毛が固定的に取り付けられ、前記第一モータが前記引掛けハンドル連結溝の左側に固定的に取り付けられ、前記第一モータの右側の出力軸には第一電極軸が固定的に連結され、前記第一電極軸と前記洗浄筒の左側端面とが固定的に取り付けられ、前記洗浄筒の左側端面には斜め板が設けられ、前記殺菌箱取付け溝が前記引掛けハンドルの底部端面に設けられ、前記殺菌箱取付け溝の頂壁には前記引掛けハンドル連結溝と連通した消毒剤パイプが設けられ、前記消毒剤パイプには制御スイッチが設けられ、前記引掛けハンドルの頂部端面には電池ケースが設けられ、前記電池ケースには蓄電池が固定的に取り付けられ、前記引掛けハンドルの左側端面には左に開口した電極接触チャンバが設けられ、前記連結柄は前記電極接触チャンバとねじ山によって連結され、前記電極接触チャンバの右側内壁には出力接点が固定的に取り付けられ、前記連結柄の左側端面には入力接点が固定的に取り付けられ、前記出力接点は前記入力接点と接触することができ、
第一モータを始動させ、第一モータは洗浄筒および洗浄筒刷毛を回転連動させ、制御スイッチは消毒剤パイプを開けて消毒剤を前記引掛けハンドル連結溝の中に入るようにさせ、消毒剤は連通孔から入り込み、洗浄筒および洗浄筒刷毛は回転してブラシヘッドに対して殺菌と洗浄を行い、
前記振動機構は前記連結柄と前記洗浄駆動チャンバを含み、前記第二モータが前記連結柄の中に取り付けられ、前記振動伝動チャンバが前記歯ブラシヘッドの中に設けられ、前記連結柄にはねじ山が設けられ、第二モータ軸は前記第二モータの左側の出力軸の端面に連結され、前記第二モータ軸が左方に延びていて前記振動伝動チャンバと前記洗浄駆動チャンバを貫通しており、前記第二モータ軸は前記歯ブラシヘッドおよび前記連結柄と回転できるように連結され、前記第二モータ軸は前記振動制御盤とスプラインで取り付けられ、前記振動制御盤の左側端面にはスライド溝が設けられ、前記振動制御盤の右側端面にはプッシュヘッドが固定的に取り付けられ、前記プッシュヘッドは前記第二モータ軸と接触していなく、前記連結柄の底部端面には上に開口したプッシュスライド溝が設けられ、前記プッシュスライド溝の中には手動プッシュブロックがスライドできるように取り付けられ、前記プッシュスライド溝の下側には前記振動伝動チャンバと連通したプッシュロッドスライド溝が設けられ、前記プッシュロッドスライド溝と前記プッシュスライド溝との間には連通した連結ロッドスライド溝が設けられ、前記プッシュロッドスライド溝の中にはプッシュロッドがスライドできるように取り付けられ、前記プッシュロッドの左側端面には回しブロックが固定的に取り付けられ、前記回しブロックは前記プッシュヘッドと回転できるように取り付けられ、前記プッシュヘッドの頂部端面にはプッシュブロック連結ロッドが固定的に取り付けられ、前記プッシュブロック連結ロッドは前記連結ロッドスライド溝とスライドできるように連結され、前記プッシュブロック連結ロッドの頂部端面は前記手動プッシュブロックと固定して取り付けられ、前記振動チャンバは前記振動伝動チャンバの頂壁と連通しており、前記振動ロッドが前記振動チャンバの左側端面に固定的に取り付けられ、前記振動ロッドの上側端面には緩衝ブロックが固定的に取り付けられ、前記振動ロッドの下側端面には回しロッドが固定的に取り付けられ、前記回しロッドは前記スライド溝とスライドできるように連結され、
それによって手動プッシュブロックを押し動かして左に移動させ、手動プッシュブロックは連結ロッドスライド溝およびプッシュロッドを連動させて左に移動させ、プッシュロッドが左に移動してプッシュヘッドに振動制御盤を押し動かさせて左に移動させ、振動制御盤は左に移動して回しロッドがスライド溝とスライドできるように連結され、回しロッドがスライド溝の中でスライドしているとき、振動ロッドおよび緩衝ブロックが上下に揺れ、歯ブラシヘッドを振ることにより、歯ブラシからゴミや残渣が取り除かれ、
前記刷毛洗浄機構は前記洗浄駆動チャンバを含み、前記洗浄駆動チャンバの上下内壁の間には中間固定軸が固定的に取り付けられ、前記中間固定軸は前記中間歯車と回転できるように取り付けられ、前記中間歯車の底部端面には端面歯が固定的に取り付けられ、前記第二モータ軸の左側端面には洗浄駆動歯車が固定的に取り付けられ、前記洗浄駆動歯車は前記端面歯と噛み合い、前記刷毛装着板の中には第一フックフック溝が左右に対称的に設けられ、前記第一フックフック溝の内壁には第一フックが固定的に取り付けられ、前記歯ブラシヘッドの左右端面には第二フックフック溝が左右に対称的に設けられ、前記第二フックフック溝の上側内壁にはボタン板が固定的に取り付けられ、前記ボタン板には第二フックが固定的に取り付けられ、前記第二フックは前記第一フックと引っかかることができ、前記ボタン板の端面には緩めボタンが固定的に取り付けられ、前記刷毛装着板は歯ブラシ刷毛と固定的に取り付けられ、前記洗浄駆動チャンバと前記刷毛装着板の頂部端面との間にはクリーニングヘッド伝動軸が左右に対称的に回転できるように取り付けられ、前記クリーニングヘッド伝動歯車と前記クリーニングヘッド伝動軸との間が固定して取り付けられ、前記クリーニングヘッド伝動軸の頂部端面には固定ヘッドが固定的に取り付けられ、前記固定ヘッドは前記クリーニングヘッドと固定して取り付けられ、前記クリーニング刷毛が前記クリーニングヘッドに固定的に取り付けられ、前記クリーニングヘッド伝動軸において前記固定ヘッドの下側には固定位置制限ブロックが固定的に取り付けられ、刷毛装着板を歯ブラシヘッドに取り付けて引っかけ、クリーニングヘッドをクリーニングヘッド伝動軸に取り付け、第二モータは洗浄駆動歯車を回転連動させ、洗浄駆動歯車は回転して端面歯および中間歯車を回転連動させ、中間歯車は回転してクリーニングヘッド伝動歯車を回転連動させ、クリーニングヘッド伝動歯車は回転してクリーニングヘッドおよびクリーニング刷毛を回転連動させ、歯ブラシ刷毛を洗浄することを特徴とするセルフクリーニング歯ブラシ。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的にはセルフクリーニング歯ブラシである
【背景技術】
【０００２】
現在、ますます多くの人々が口腔の健康に注意し、そして我々の口腔の健康と最も密接なのは歯ブラシで、歯ブラシは常に口腔に出入りし、歯ブラシの清潔さは私たちの口腔の健康に対して非常に重要で、現在使用されている歯ブラシは基本的にセルフクリーニングの機能を持っていなく、一般的に、歯ブラシの使用が完了した後に、歯ブラシはクリーニングのために専用な清潔設備に入れてクリーニングし、このような洗浄方法は面倒であり、一般家庭での使用には適していなく、歯ブラシが露天置かれ、埃がたまりやすく、歯ブラシの清掃に一定の影響を及ぼし、そのためセルフクリーニング歯ブラシが必要とされ、自宅でも使え、歯ブラシを密封することができ、露天の環境で汚されるのを防ぐ。
【先行技術文献】
【特許文献】
【０００３】
【特許文献１】中国特許出願公開第108634554号明細書
【発明の概要】
【発明が解決しようとする課題】
【０００４】
本発明はセルフクリーニング歯ブラシを提供し、既存技術にある上記の欠点を解消することを目的とする。
【課題を解決するための手段】
【０００５】
本発明の実施例のセルフクリーニング歯ブラシは、引掛けハンドルを含み、前記引掛けハンドルの中には引掛けハンドル洗浄機構が設けられ、前記引掛けハンドル洗浄機構は引掛けハンドル連結溝を含み、前記引掛けハンドル連結溝の中には洗浄筒が設けられ、前記洗浄筒の内壁には洗浄筒刷毛が固定的に設けられ、前記引掛けハンドル連結溝の左側内壁には前記洗浄筒を回転連動させる第一モータが固定的に取り付けられ、前記引掛けハンドル洗浄機構は殺菌箱取付け溝を含み、前記引掛けハンドルの左側には連結柄がねじ山によって取り付けられ、前記連結柄の左側端面には歯ブラシヘッドが固定的に取り付けられ、前記歯ブラシヘッドの中には振動機構が設けられ、前記振動機構は第二モータと振動伝動チャンバを含み、前記振動伝動チャンバの中には振動を制御する振動制御盤が設けられ、前記振動伝動チャンバの頂壁には前記振動伝動チャンバと連通した振動チャンバが設けられ、前記振動チャンバの中には振動ロッドが設けられ、前記振動ロッドには緩衝ブロックが固定的に取り付けられ、前記歯ブラシヘッドの中には刷毛洗浄機構が設けられ、前記刷毛洗浄機構は洗浄駆動チャンバを含み、前記洗浄駆動チャンバの中には中間歯車とクリーニングヘッド伝動歯車が設けられ、前記歯ブラシヘッドの頂部端面には刷毛装着板が固定的に取り付けられ、前記刷毛装着板には歯ブラシ刷毛が設けられ、前記刷毛洗浄機構は前記刷毛装着板の端面に設けられるクリーニングヘッドを含み、前記クリーニングヘッドにはクリーニング刷毛が設けられる。
【０００６】
有益なまた例を示すように、前記引掛けハンドル洗浄機構は前記引掛けハンドルを含み、前記引掛けハンドル連結溝が前記引掛けハンドルの中の右側端面に設けられ、前記引掛けハンドル連結溝の内壁にはねじ山が設けられ、前記洗浄筒が前記引掛けハンドル連結溝の中に回転できるように取り付けられ、前記洗浄筒の中には洗浄チャンバが設けられ、前記洗浄チャンバの左側内壁には前記洗浄筒の左側端面に連通した連通孔が設けられ、前記洗浄チャンバの内壁には洗浄筒刷毛が固定的に取り付けられ、前記第一モータが前記引掛けハンドル連結溝の左側に固定的に取り付けられ、前記第一モータの右側の出力軸には第一電極軸が固定的に連結され、前記第一電極軸と前記洗浄筒の左側端面とが固定的に取り付けられ、前記洗浄筒の左側端面には斜め板が設けられ、前記殺菌箱取付け溝が前記引掛けハンドルの底部端面に設けられ、前記殺菌箱取付け溝の頂壁には前記引掛けハンドル連結溝と連通した消毒剤パイプが設けられ、前記消毒剤パイプには制御スイッチが設けられ、前記引掛けハンドルの頂部端面には電池ケースが設けられ、前記電池ケースには蓄電池が固定的に取り付けられ、前記引掛けハンドルの左側端面には左に開口した電極接触チャンバが設けられ、前記連結柄は前記電極接触チャンバとねじ山によって連結され、前記電極接触チャンバの右側内壁には出力接点が固定的に取り付けられ、前記連結柄の左側端面には入力接点が固定的に取り付けられ、前記出力接点は前記入力接点と接触することができる。
【０００７】
有益なまた例を示すように、前記振動機構は前記連結柄と前記洗浄駆動チャンバを含み、前記第二モータが前記連結柄の中に取り付けられ、前記振動伝動チャンバが前記歯ブラシヘッドの中に設けられ、前記連結柄にはねじ山が設けられ、第二モータ軸は前記第二モータの左側の出力軸の端面に連結され、前記第二モータ軸が左方に延びていて前記振動伝動チャンバと前記洗浄駆動チャンバを貫通しており、前記第二モータ軸は前記歯ブラシヘッドおよび前記連結柄と回転できるように連結され、前記第二モータ軸は前記振動制御盤とスプラインで取り付けられ、前記振動制御盤の左側端面にはスライド溝が設けられ、前記振動制御盤の右側端面にはプッシュヘッドが固定的に取り付けられ、前記プッシュヘッドは前記第二モータ軸と接触していなく、前記連結柄の底部端面には上に開口したプッシュスライド溝が設けられ、前記プッシュスライド溝の中には手動プッシュブロックがスライドできるように取り付けられ、前記プッシュスライド溝の下側には前記振動伝動チャンバと連通したプッシュロッドスライド溝が設けられ、前記プッシュロッドスライド溝と前記プッシュスライド溝との間には連通した連結ロッドスライド溝が設けられ、前記プッシュロッドスライド溝の中にはプッシュロッドがスライドできるように取り付けられ、前記プッシュロッドの左側端面には回しブロックが固定的に取り付けられ、前記回しブロックは前記プッシュヘッドと回転できるように取り付けられ、前記プッシュヘッドの頂部端面にはプッシュブロック連結ロッドが固定的に取り付けられ、前記プッシュブロック連結ロッドは前記連結ロッドスライド溝とスライドできるように連結され、前記プッシュブロック連結ロッドの頂部端面は前記手動プッシュブロックと固定して取り付けられ、前記振動チャンバは前記振動伝動チャンバの頂壁と連通しており、前記振動ロッドが前記振動チャンバの左側端面に固定的に取り付けられ、前記振動ロッドの上側端面には緩衝ブロックが固定的に取り付けられ、前記振動ロッドの下側端面には回しロッドが固定的に取り付けられ、前記回しロッドは前記スライド溝とスライドできるように連結されている。
【０００８】
有益なまた例を示すように、前記刷毛洗浄機構は前記洗浄駆動チャンバを含み、前記洗浄駆動チャンバの上下内壁の間には中間固定軸が固定的に取り付けられ、前記中間固定軸は前記中間歯車と回転できるように取り付けられ、前記中間歯車の底部端面には端面歯が固定的に取り付けられ、前記第二モータ軸の左側端面には洗浄駆動歯車が固定的に取り付けられ、前記洗浄駆動歯車は前記端面歯と噛み合い、前記刷毛装着板の中には第一フックフック溝が左右に対称的に設けられ、前記第一フックフック溝の内壁には第一フックが固定的に取り付けられ、前記歯ブラシヘッドの左右端面には第二フックフック溝が左右に対称的に設けられ、前記第二フックフック溝の上側内壁にはボタン板が固定的に取り付けられ、前記ボタン板には第二フックが固定的に取り付けられ、前記第二フックは前記第一フックと引っかかることができ、前記ボタン板の端面には緩めボタンが固定的に取り付けられ、前記刷毛装着板は歯ブラシ刷毛と固定的に取り付けられ、前記洗浄駆動チャンバと前記刷毛装着板の頂部端面との間にはクリーニングヘッド伝動軸が左右に対称的に回転できるように取り付けられ、前記クリーニングヘッド伝動歯車と前記クリーニングヘッド伝動軸との間が固定して取り付けられ、前記クリーニングヘッド伝動軸の頂部端面には固定ヘッドが固定的に取り付けられ、前記固定ヘッドは前記クリーニングヘッドと固定して取り付けられ、前記クリーニング刷毛が前記クリーニングヘッドに固定的に取り付けられ、前記クリーニングヘッド伝動軸において前記固定ヘッドの下側には固定位置制限ブロックが固定的に取り付けられている。
【発明の効果】
【０００９】
本発明の有益な効果は：本発明は構造が簡単で、操作が便利で、引掛けハンドル洗浄機構によって刷毛が洗浄および滅菌され、ブラシヘッドを密閉環境に置き、外部環境によって汚染されないことを保証し、振動機構によって歯ブラシの上の残渣が振り落とされ、大きな粒子状ものを取り除き、刷毛洗浄機構によって刷毛を洗浄し、刷毛を取り替えることができ、歯ブラシ全体の再利用に効果があり、宣伝価値がある。
【図面の簡単な説明】
【００１０】
【図１】図１は本発明の全体構成概略図
【図２】図２は図１の中のＡ−Ａ方向の断面構成概略図
【図３】図３は図１のＢの拡大構造略図
【図４】図４は図１のＣ―Ｃ方向の断面構造略図
【発明を実施するための形態】
【００１１】
下記に図１〜４を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１２】
図１〜４を参照し、本発明の実施例のセルフクリーニング歯ブラシは、引掛けハンドル１０９を含み、前記引掛けハンドル１０９の中には引掛けハンドル洗浄機構３００が設けられ、前記引掛けハンドル洗浄機構３００は引掛けハンドル連結溝２３を含み、前記引掛けハンドル連結溝２３の中には洗浄筒２０が設けられ、前記洗浄筒２０の内壁には洗浄筒刷毛２２が固定的に設けられ、前記引掛けハンドル連結溝２３の左側内壁には前記洗浄筒２０を回転連動させる第一モータ１７が固定的に取り付けられ、前記引掛けハンドル洗浄機構３００は殺菌箱取付け溝１５を含み、前記引掛けハンドル１０９の左側には連結柄１０７がねじ山によって取り付けられ、前記連結柄１０７の左側端面には歯ブラシヘッド１００が固定的に取り付けられ、前記歯ブラシヘッド１００の中には振動機構３０１が設けられ、前記振動機構３０１は第二モータ１０８と振動伝動チャンバ１０５を含み、前記振動伝動チャンバ１０５の中には振動を制御する振動制御盤１０６が設けられ、前記振動伝動チャンバ１０５の頂壁には前記振動伝動チャンバ１０５と連通した振動チャンバ３４が設けられ、前記振動チャンバ３４の中には振動ロッド３５が設けられ、前記振動ロッド３５には緩衝ブロック３６が固定的に取り付けられ、前記歯ブラシヘッド１００の中には刷毛洗浄機構３０２が設けられ、前記刷毛洗浄機構３０２は洗浄駆動チャンバ１０１を含み、前記洗浄駆動チャンバ１０１の中には中間歯車４１とクリーニングヘッド伝動歯車４４が設けられ、前記歯ブラシヘッド１００の頂部端面には刷毛装着板４８が固定的に取り付けられ、前記刷毛装着板４８には歯ブラシ刷毛４３が設けられ、前記刷毛洗浄機構３０２は前記刷毛装着板４８の端面に設けられるクリーニングヘッド３９を含み、前記クリーニングヘッド３９にはクリーニング刷毛３８が設けられる。
【００１３】
有益なまた例を示すように、前記引掛けハンドル洗浄機構３００は前記引掛けハンドル１０９を含み、前記引掛けハンドル連結溝２３が前記引掛けハンドル１０９の中の右側端面に設けられ、前記引掛けハンドル連結溝２３の内壁にはねじ山が設けられ、前記洗浄筒２０が前記引掛けハンドル連結溝２３の中に回転できるように取り付けられ、前記洗浄筒２０の中には洗浄チャンバ１２が設けられ、前記洗浄チャンバ１２の左側内壁には前記洗浄筒２０の左側端面に連通した連通孔２１が設けられ、前記洗浄チャンバ１２の内壁には洗浄筒刷毛２２が固定的に取り付けられ、前記第一モータ１７が前記引掛けハンドル連結溝２３の左側に固定的に取り付けられ、前記第一モータ１７の右側の出力軸には第一電極軸２４が固定的に連結され、前記第一電極軸２４と前記洗浄筒２０の左側端面とが固定的に取り付けられ、前記洗浄筒２０の左側端面には斜め板１９が設けられ、前記殺菌箱取付け溝１５が前記引掛けハンドル１０９の底部端面に設けられ、前記殺菌箱取付け溝１５の頂壁には前記引掛けハンドル連結溝２３と連通した消毒剤パイプ１６が設けられ、前記消毒剤パイプ１６には制御スイッチ１８が設けられ、前記引掛けハンドル１０９の頂部端面には電池ケース２５が設けられ、前記電池ケース２５には蓄電池２６が固定的に取り付けられ、前記引掛けハンドル１０９の左側端面には左に開口した電極接触チャンバ１１が設けられ、前記連結柄１０７は前記電極接触チャンバ１１とねじ山によって連結され、前記電極接触チャンバ１１の右側内壁には出力接点１３が固定的に取り付けられ、前記連結柄１０７の左側端面には入力接点１４が固定的に取り付けられ、前記出力接点１３は前記入力接点１４と接触することができ、
第一モータ１７を始動させ、第一モータ１７は洗浄筒２０および洗浄筒刷毛２２を回転連動させ、制御スイッチ１８は消毒剤パイプ１６を開けて消毒剤を前記引掛けハンドル連結溝２３の中に入るようにさせ、消毒剤は連通孔２１から入り込み、洗浄筒２０および洗浄筒刷毛２２は回転してブラシヘッドに対して殺菌と洗浄をする。
【００１４】
有益なまた例を示すように、前記振動機構３０１は前記連結柄１０７と前記洗浄駆動チャンバ１０１を含み、前記第二モータ１０８が前記連結柄１０７の中に取り付けられ、前記振動伝動チャンバ１０５が前記歯ブラシヘッド１００の中に設けられ、前記連結柄１０７にはねじ山が設けられ、第二モータ軸１０４は前記第二モータ１０８の左側の出力軸の端面に連結され、前記第二モータ軸１０４が左方に延びていて前記振動伝動チャンバ１０５と前記洗浄駆動チャンバ１０１を貫通しており、前記第二モータ軸１０４は前記歯ブラシヘッド１００および前記連結柄１０７と回転できるように連結され、前記第二モータ軸１０４は前記振動制御盤１０６とスプラインで取り付けられ、前記振動制御盤１０６の左側端面にはスライド溝５６が設けられ、前記振動制御盤１０６の右側端面にはプッシュヘッド３１が固定的に取り付けられ、前記プッシュヘッド３１は前記第二モータ軸１０４と接触していなく、前記連結柄１０７の底部端面には上に開口したプッシュスライド溝２７が設けられ、前記プッシュスライド溝２７の中には手動プッシュブロック２８がスライドできるように取り付けられ、前記プッシュスライド溝２７の下側には前記振動伝動チャンバ１０５と連通したプッシュロッドスライド溝６２が設けられ、前記プッシュロッドスライド溝６２と前記プッシュスライド溝２７との間には連通した連結ロッドスライド溝６１が設けられ、前記プッシュロッドスライド溝６２の中にはプッシュロッド３０がスライドできるように取り付けられ、前記プッシュロッド３０の左側端面には回しブロック３２が固定的に取り付けられ、前記回しブロック３２は前記プッシュヘッド３１と回転できるように取り付けられ、前記プッシュヘッド３０の頂部端面にはプッシュブロック連結ロッド２９が固定的に取り付けられ、前記プッシュブロック連結ロッド２９は前記連結ロッドスライド溝６１とスライドできるように連結され、前記プッシュブロック連結ロッド２９の頂部端面は前記手動プッシュブロック２８と固定して取り付けられ、前記振動チャンバ３４は前記振動伝動チャンバ１０５の頂壁と連通しており、前記振動ロッド３５が前記振動チャンバ３４の左側端面に固定的に取り付けられ、前記振動ロッド３５の上側端面には緩衝ブロック３６が固定的に取り付けられ、前記振動ロッド３５の下側端面には回しロッド３３が固定的に取り付けられ、前記回しロッド３３は前記スライド溝５６とスライドできるように連結され、
それによって手動プッシュブロック２８を押し動かして左に移動させ、手動プッシュブロック２８は連結ロッドスライド溝６１およびプッシュロッド３０を連動させて左に移動させ、プッシュロッド３０が左に移動してプッシュヘッド３１に振動制御盤１０６を押し動かさせて左に移動させ、振動制御盤１０６は左に移動して回しロッド３３がスライド溝５６とスライドできるように連結され、回しロッド３３がスライド溝５６の中でスライドしているとき、振動ロッド３５および緩衝ブロック３６が上下に揺れ、歯ブラシヘッド１００を振ることにより、歯ブラシからゴミや残渣が取り除かれる。
【００１５】
有益なまた例を示すように、前記刷毛洗浄機構３０２は前記洗浄駆動チャンバ１０１を含み、前記洗浄駆動チャンバ１０１の上下内壁の間には中間固定軸１０２が固定的に取り付けられ、前記中間固定軸１０２は前記中間歯車４１と回転できるように取り付けられ、前記中間歯車４１の底部端面には端面歯４２が固定的に取り付けられ、前記第二モータ軸１０４の左側端面には洗浄駆動歯車１０３が固定的に取り付けられ、前記洗浄駆動歯車１０３は前記端面歯４２と噛み合い、前記刷毛装着板４８の中には第一フックフック溝４９が左右に対称的に設けられ、前記第一フックフック溝４９の内壁には第一フック５０が固定的に取り付けられ、前記歯ブラシヘッド１００の左右端面には第二フックフック溝５３が左右に対称的に設けられ、前記第二フックフック溝５３の上側内壁にはボタン板５４が固定的に取り付けられ、前記ボタン板５４には第二フック５２が固定的に取り付けられ、前記第二フック５２は前記第一フック５０と引っかかることができ、前記ボタン板５４の端面には緩めボタン５５が固定的に取り付けられ、前記刷毛装着板４８は歯ブラシ刷毛４３と固定的に取り付けられ、前記洗浄駆動チャンバ１０１と前記刷毛装着板４８の頂部端面との間にはクリーニングヘッド伝動軸４０が左右に対称的に回転できるように取り付けられ、前記クリーニングヘッド伝動歯車４４と前記クリーニングヘッド伝動軸４０との間が固定して取り付けられ、前記クリーニングヘッド伝動軸４０の頂部端面には固定ヘッド４６が固定的に取り付けられ、前記固定ヘッド４６は前記クリーニングヘッド３９と固定して取り付けられ、前記クリーニング刷毛３８が前記クリーニングヘッド３９に固定的に取り付けられ、前記クリーニングヘッド伝動軸４０において前記固定ヘッド４６の下側には固定位置制限ブロック４７が固定的に取り付けられ、
刷毛装着板４８を歯ブラシヘッド１００に取り付けて引っかけ、クリーニングヘッド３９をクリーニングヘッド伝動軸４０に取り付け、第二モータ１０８は洗浄駆動歯車１０３を回転連動させ、洗浄駆動歯車１０３は回転して端面歯４２および中間歯車４１を回転連動させ、中間歯車４１は回転してクリーニングヘッド伝動歯車４４を回転連動させ、クリーニングヘッド伝動歯車４４は回転してクリーニングヘッド３９およびクリーニング刷毛３８を回転連動させ、歯ブラシ刷毛４３を洗浄する。
【００１６】
利用するとき、第二モータ１０８を始動させ、第二モータ１０８は振動抑制盤１０６および中間歯車４１を回転連動させ、振動抑制盤１０６は振動ロッド３５を上下に揺動させて振動させ、残渣が取り除かれ、中間歯車４１は回転してクリーニングヘッド３９およびクリーニング刷毛３８を回転連動させ、クリーニングヘッド３９およびクリーニング刷毛３８は回転して刷毛を洗浄し、刷毛装着板４８を取り替える時、刷毛装着板４８を取り外して取り替えればよく、ブラッシングが完了したら、引掛けハンドル１０９および連結柄１０７を捻って緩め、歯ブラシヘッド１００は引掛けハンドル連結溝２３の中に伸びていて連結柄１０７の左側のねじ山ときつく締め、第一モータ１７を始動させ、第一モータ１７は洗浄筒２０および洗浄筒刷毛２２を回転連動させて洗浄し、殺菌箱取付け溝１５において殺菌箱の中の殺菌剤は引掛けハンドル連結溝２３の中に入って歯ブラシヘッド１００を消毒する。
【００１７】
本発明の有益な効果は：本発明は構造が簡単で、操作が便利で、引掛けハンドル洗浄機構によって刷毛が洗浄および滅菌され、ブラシヘッドを密閉環境に置き、外部環境によって汚染されないことを保証し、振動機構によって歯ブラシの上の残渣が振り落とされ、大きな粒子状ものを取り除き、刷毛洗浄機構によって刷毛を洗浄し、刷毛を取り替えることができ、歯ブラシ全体の再利用に効果があり、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。